(57)【要約】【課題】原稿に搭載されたＩＣチップの情報を読み取って原稿の取り扱いやセキュリティのために有効利用して、不正な複写が行われないようにすると共に、使用者自らがセキュリティ管理を取捨選択できるようにする。【解決手段】制御部６０は、ＩＣチップ読取部２８を使って、原稿にＩＣチップが搭載されているか否かを検出する。ＩＣチップが検出されると、ＩＣチップの情報を読み取り、その中の使用者ＩＤデータ（Ｄ１）とメモリ部６１に記憶されている使用者ＩＤデータ（Ｄ０）とを比較する。Ｄ１とＤ０が同じ場合は、次操作有効処理と操作部１３へ使用者ＩＤ一致を促すための有効メッセージを表示し、画像形成動作を実行する。Ｄ１とＤ０が同一でない場合は、次操作禁止処理と操作部１３へ使用者ＩＤ不一致を促すための禁止メッセージ表示を行い、画像形成動作は実行されない。【選択図】        図４
2007067919.tif 000002
【特許請求の範囲】
【請求項１】
情報が書き込み可能なＩＣチップを搭載した原稿の画像読み取り時に、前記ＩＣチップに書き込まれている情報を読み取る情報読取手段と、
前記情報読取手段で読み取った情報に基づいて転写紙に画像を形成する画像形成手段と
を備えたことを特徴とする画像形成装置。
【請求項２】
前記情報読取手段は、ＩＣチップを搭載した原稿の画像を読み取る画像読取手段に設けられ、
前記画像読取手段で原稿画像を読み取ると同時に、前記情報読取手段を使ってＩＣチップに書き込まれている情報を自動的に読み取ることを特徴とする請求項１に記載の画像形成装置。
【請求項３】
前記情報読取手段は、ＩＣチップを搭載した原稿を自動的に搬送する自動原稿搬送装置に設けられ、
前記自動原稿搬送装置で原稿を自動搬送しながら、前記情報読取手段を使ってＩＣチップに書き込まれている情報を自動的に読み取ることを特徴とする請求項１に記載の画像形成装置。
【請求項４】
原稿に搭載されたＩＣチップに書き込まれた情報を前記情報読取手段で読み取り、その読み取った情報に基づいて操作情報を自動設定する操作情報設定手段を備えたことを特徴とする請求項１〜３のいずれか一つに記載の画像形成装置。
【請求項５】
前記操作情報設定手段は、ＩＣチップに書き込まれている情報に基づいて転写紙条件、作像条件、定着条件のうち少なくとも一つの条件を自動設定することを特徴とする請求項４に記載の画像形成装置。
【請求項６】
原稿にＩＣチップが搭載されているか否かを検出するＩＣチップ検出手段をさらに備え、
前記ＩＣチップ検出手段により原稿にＩＣチップが搭載されていることを検出した場合は、ＩＣチップの情報に基づいて前記画像形成手段により画像形成動作を実行し、前記ＩＣチップ検出手段により原稿にＩＣチップが搭載されていないことを検出した場合は、前記画像形成手段による画像形成動作を実行しないことを特徴とする請求項１〜５のいずれか一つに記載の画像形成装置。
【請求項７】
画像形成動作を手動で行うか自動で行うかを切り換える切換手段をさらに備え、
前記切換手段が手動の場合は、操作条件の手動設定を促して、操作条件が手動設定された後に画像形成動作を実行し、前記切換手段が自動の場合は、前記原稿に搭載されたＩＣチップに書き込まれている情報を読み取って、画像形成動作の実行の可否を判断することを特徴とする請求項４〜６のいずれか一つに記載の画像形成装置。
【請求項８】
情報が書き込み可能なＩＣチップを搭載した原稿の情報を読み取る情報読取手段と、
前記情報読取手段で読み取った原稿の情報に基づいて画像形成動作を行うプロセスカートリッジと
を備えたことを特徴とする画像形成装置。
【請求項９】
前記プロセスカートリッジは、前記情報読取手段で読み取った原稿に搭載されたＩＣチップの情報に基づいて、操作情報を自動設定する操作情報設定手段を備えたことを特徴とする請求項８に記載の画像形成装置。
【請求項１０】
前記プロセスカートリッジの操作情報設定手段は、前記情報読取手段で読み取った原稿に搭載されたＩＣチップの情報に基づいて、転写紙条件、作像条件、定着条件のうち少なくとも一つの条件を自動設定することを特徴とする請求項９に記載の画像形成装置。
【請求項１１】
原稿にＩＣチップが搭載されているか否かを検出するＩＣチップ検出手段をさらに備え、
前記ＩＣチップ検出手段により原稿にＩＣチップが搭載されている場合は、ＩＣチップの情報に基づいて前記プロセスカートリッジにより画像形成動作を実行し、前記ＩＣチップ検出手段により原稿にＩＣチップが搭載されていない場合は、前記プロセスカートリッジによる画像形成動作を実行しないようにすることを特徴とする請求項８に記載の画像形成装置。
【請求項１２】
画像形成動作を手動で行うか自動で行うかを切り換える切換手段をさらに備え、
前記切換手段が手動の場合は、操作条件の手動設定を促して、操作条件が手動設定された後に画像形成動作を実行し、前記切換手段が自動の場合は、前記原稿に搭載されたＩＣチップに書き込まれている情報を読み取って、画像形成動作の実行の可否を判断することを特徴とする請求項８〜１１のいずれか一つに記載の画像形成装置。
【発明の詳細な説明】
【技術分野】
【０００１】
本発明は、原稿に搭載されたＩＣチップに書き込まれた情報を読み取って転写紙に画像を形成する画像形成装置に関するものである。
【背景技術】
【０００２】
近年、情報に関するセキュリティ保護のため、各国では保護基準を設けて、規制を強化しつつあり、また、企業なども情報資産の流出に対して年々厳しい対応を迫られてきている。とりわけ、人による不正行為や誤操作等による情報資産の流出の例は、後を絶たず、脅威となっている。このような情報に関するセキュリティでは、情報を不当に他者に漏洩しない（機密性）、情報が改ざんされない（完全性）、障害発生時にも継続して提供できる（可用性）といった側面が重要になってくる。
【０００３】
しかし、日常使われている複写機、プリンタ、ＦＡＸなどのＯＡ機器から出力される画像は、情報資産であるが保護されていないことが多かった。例えば、データがセキュリティ保護されていても、これを一旦紙に出力してしまうと、出力画像に基づいて複写を繰り返すことが可能になる。このように、出力された画像は、誰でも容易に取り扱うことができるため、不正な複写が容易に行われる可能性がある。
【０００４】
このため、ＯＡ機器などから出力された画像情報についても、情報資産の保護の観点から考えると、使用者を識別して使用者の真正性を確保すること（識別と認証）、情報資産を不当なアクセスから守ること（アクセス制御）、使用者のメッセージ発信等の行為に対して使用者から否認されないこと（否認防止）などが必要になってくる。
【０００５】
そこで、ＩＤカードによってユーザの識別を行い、ＩＤ番号が確認されると、複写機を使用できるようにするという発明があった（特許文献１参照）。
【０００６】
【特許文献１】特許第３６０３９９０号公報
【発明の開示】
【発明が解決しようとする課題】
【０００７】
しかしながら、上記特許文献１では、ＩＤカードと情報資産（機密文書）とは別個であって、ＩＤカードを持っていればどんな情報資産（原稿）であっても複写や出力が可能となるため、情報資産（機密文書）そのもののセキュリティにはならないという課題があった。
【０００８】
本発明は、上記に鑑みてなされたものであって、原稿に搭載されたＩＣチップの情報を読み取って原稿の取り扱いやセキュリティのために有効利用し、セキュリティの必要な原稿とそれ以外の原稿とを区別することで不正な複写が行われないようにし、使用者自らがセキュリティ管理を取捨選択することができる画像形成装置を提供することを目的とする。
【課題を解決するための手段】
【０００９】
上述した課題を解決し、目的を達成するために、請求項１にかかる発明は、情報が書き込み可能なＩＣチップを搭載した原稿の画像読み取り時に、前記ＩＣチップに書き込まれている情報を読み取る情報読取手段と、前記情報読取手段で読み取った情報に基づいて転写紙に画像を形成する画像形成手段とを備えたことを特徴とする。
【００１０】
また、請求項２にかかる発明は、請求項１に記載の画像形成装置において、前記情報読取手段は、ＩＣチップを搭載した原稿の画像を読み取る画像読取手段に設けられ、前記画像読取手段で原稿画像を読み取ると同時に、前記情報読取手段を使ってＩＣチップに書き込まれている情報を自動的に読み取ることを特徴とする。
【００１１】
また、請求項３にかかる発明は、請求項１に記載の画像形成装置において、前記情報読取手段は、ＩＣチップを搭載した原稿を自動的に搬送する自動原稿搬送装置に設けられ、前記自動原稿搬送装置で原稿を自動搬送しながら、前記情報読取手段を使ってＩＣチップに書き込まれている情報を自動的に読み取ることを特徴とする。
【００１２】
また、請求項４にかかる発明は、請求項１〜３のいずれか一つに記載の画像形成装置において、原稿に搭載されたＩＣチップに書き込まれた情報を前記情報読取手段で読み取り、その読み取った情報に基づいて操作情報を自動設定する操作情報設定手段を備えたことを特徴とする。
【００１３】
また、請求項５にかかる発明は、請求項４に記載の画像形成装置において、前記操作情報設定手段は、ＩＣチップに書き込まれている情報に基づいて転写紙条件、作像条件、定着条件のうち少なくとも一つの条件を自動設定することを特徴とする。
【００１４】
また、請求項６にかかる発明は、請求項１〜５のいずれか一つに記載の画像形成装置において、原稿にＩＣチップが搭載されているか否かを検出するＩＣチップ検出手段をさらに備え、前記ＩＣチップ検出手段により原稿にＩＣチップが搭載されていることを検出した場合は、ＩＣチップの情報に基づいて前記画像形成手段により画像形成動作を実行し、前記ＩＣチップ検出手段により原稿にＩＣチップが搭載されていないことを検出した場合は、前記画像形成手段による画像形成動作を実行しないことを特徴とする。
【００１５】
また、請求項７にかかる発明は、請求項４〜６のいずれか一つに記載の画像形成装置において、画像形成動作を手動で行うか自動で行うかを切り換える切換手段をさらに備え、前記切換手段が手動の場合は、操作条件の手動設定を促して、操作条件が手動設定された後に画像形成動作を実行し、前記切換手段が自動の場合は、前記原稿に搭載されたＩＣチップに書き込まれている情報を読み取って、画像形成動作の実行の可否を判断することを特徴とする。
【００１６】
また、請求項８にかかる発明は、情報が書き込み可能なＩＣチップを搭載した原稿の情報を読み取る情報読取手段と、前記情報読取手段で読み取った原稿の情報に基づいて画像形成動作を行うプロセスカートリッジとを備えたことを特徴とする。
【００１７】
また、請求項９にかかる発明は、請求項８に記載の画像形成装置において、前記プロセスカートリッジは、前記情報読取手段で読み取った原稿に搭載されたＩＣチップの情報に基づいて、操作情報を自動設定する操作情報設定手段を備えたことを特徴とする。
【００１８】
また、請求項１０にかかる発明は、請求項９に記載の画像形成装置において、前記プロセスカートリッジの操作情報設定手段は、前記情報読取手段で読み取った原稿に搭載されたＩＣチップの情報に基づいて、転写紙条件、作像条件、定着条件のうち少なくとも一つの条件を自動設定することを特徴とする。
【００１９】
また、請求項１１にかかる発明は、請求項８に記載の画像形成装置において、原稿にＩＣチップが搭載されているか否かを検出するＩＣチップ検出手段をさらに備え、前記ＩＣチップ検出手段により原稿にＩＣチップが搭載されている場合は、ＩＣチップの情報に基づいて前記プロセスカートリッジにより画像形成動作を実行し、前記ＩＣチップ検出手段により原稿にＩＣチップが搭載されていない場合は、前記プロセスカートリッジによる画像形成動作を実行しないようにすることを特徴とする。
【００２０】
また、請求項１２にかかる発明は、請求項８〜１１のいずれか一つに記載の画像形成装置において、画像形成動作を手動で行うか自動で行うかを切り換える切換手段をさらに備え、前記切換手段が手動の場合は、操作条件の手動設定を促して、操作条件が手動設定された後に画像形成動作を実行し、前記切換手段が自動の場合は、前記原稿に搭載されたＩＣチップに書き込まれている情報を読み取って、画像形成動作の実行の可否を判断することを特徴とする。
【発明の効果】
【００２１】
請求項１にかかる画像形成装置は、ＩＣチップを搭載した原稿の画像読み取り時に、情報読取手段によってＩＣチップに書き込まれている情報を読み取り、その読み取った情報に基づいて画像形成手段により転写紙に画像を形成する。このため、原稿画像の読み取りと並行して、ＩＣチップから情報を読み取るため、操作性が向上する。また、読み取った原稿のＩＣチップ情報に基づいて機密文書からの複写をセキュリティ管理することが可能となり、不正な複写が行われないようにできるという効果を奏する。
【００２２】
請求項２にかかる画像形成装置は、情報読取手段がＩＣチップを搭載した原稿の画像を読み取る画像読取手段に設けられ、画像読取手段で原稿画像を読み取ると同時に、情報読取手段によりＩＣチップの情報が自動的に読み取られる。このため、原稿を画像読取手段にセットした時、もしくはセットされた原稿から画像を読み取る時、例えば、キャリッジに設けてあればキャリッジが作動している途中で、原稿からＩＣチップの情報を得ることができる。通常は、別個に専用リーダを準備する必要があったが、画像の読み取りと同時にＩＣチップの情報を読み取ることができるため、省スペース化や読み取り時の効率化が図れるという効果を奏する。
【００２３】
請求項３にかかる画像形成装置は、情報読取手段がＩＣチップを搭載した原稿を自動的に搬送する自動原稿搬送装置に設けられ、自動原稿搬送装置で原稿を自動搬送しながら、情報読取手段によりＩＣチップの情報が自動的に読み取られる。このため、自動原稿搬送装置に原稿がセットされた時、もしくは原稿を搬送する途中、情報読取手段を通過する時、あるいは、原稿を排出する時に、同時に原稿のＩＣチップから得られた情報を得ることができる。また、情報読取手段を自動原稿搬送装置に搭載することにより、さらに業務効率が向上し、アプライアンス性や生産性を高めることができ、また、両面原稿などの操作性もスムーズになるという効果を奏する。
【００２４】
請求項４にかかる画像形成装置は、情報読取手段によって原稿に搭載されたＩＣチップの情報を読み取り、その情報に基づいて操作情報設定手段により操作情報が自動設定される。このため、特別な操作や操作条件を操作部に設定する必要がなく、通常の原稿操作から得られたＩＣチップのデータ情報から自動的に操作条件が設定されることから、操作性が向上し、操作条件の設定ミスが無くなり、無駄なコピーを防止することができるという効果を奏する。また、転写紙サイズや操作条件（倍率、片面あるいは両面など）が異なる原稿を使用したとしても、一度に原稿がセットできるので、生産性が低下することがなくなる。さらに、操作条件として、後処理（ソート、スタック、ステープル、パンチ、紙折りなど）などの条件も自動的に設定するようにしても良い。
【００２５】
請求項５にかかる画像形成装置は、操作情報設定手段によってＩＣチップに書き込まれた情報に基づいて、転写紙条件、作像条件、定着条件のうち少なくとも一つの条件が自動設定される。このため、ＩＣチップを搭載した原稿から読み取った情報に基づいて、転写紙、作像条件、定着条件が自動設定されることから、特別な操作が不要となり、通常の操作で原稿から得られたＩＣチップのデータ情報から転写紙の紙種（普通紙、厚紙、薄紙、ＯＨＰ紙など）、作像条件（フルカラーやモノクロなどによる作像プロセスの動作）、定着条件（定着温度、定着速度など）が自動的に設定されることから、良好なコピーを自動的に得ることができるという効果を奏する。
【００２６】
請求項６にかかる画像形成装置は、ＩＣチップ検出手段によって原稿にＩＣチップが搭載されているか否かを検出し、原稿にＩＣチップが搭載されている場合は、ＩＣチップの情報に基づいて画像形成手段により画像形成動作を実行し、原稿にＩＣチップが搭載されていない場合は、画像形成手段による画像形成動作を実行しないようにする。このため、ＩＣチップが搭載されている原稿を検出すると、得られた情報から画像形成動作を継続する。しかし、ＩＣチップが搭載されていない原稿を検出すると、画像読み取り動作を途中で停止したり、画像の作像動作を禁止したり、全面に真っ白や真っ黒な画像を形成させたり、警報を鳴らしたりすることにより、使用者に注意を促して不正を防止できるようになる。その結果、情報資産の流出や漏洩を防止することが可能になるという効果を奏する。
【００２７】
請求項７にかかる画像形成装置は、切換手段によって画像形成動作を手動で行うか自動で行うかを切り換え、切換手段が手動の場合は、手動設定された操作条件に基づいて画像形成動作を実行し、切換手段が自動の場合は、原稿に搭載されたＩＣチップの情報に基づいて画像形成動作の実行の可否を判断する。このため、機密情報などセキュリティ管理を必要とする情報資産の対象とならない一般情報を複写したい場合は、切換手段を用いることによって可能となり、使用者自らセキュリティ管理を取捨選択できるようにすることで、製品に多様性を持たせることができるという効果を奏する。
【００２８】
請求項８にかかる画像形成装置は、情報読取手段によって原稿に搭載されたＩＣチップの情報を読み取り、その情報に基づいてプロセスカートリッジにより画像形成動作が行われる。このため、ＩＣチップから得られた種々の情報に基づいて、その情報を利用してプロセスカートリッジを動作させることから、より確実に画像形成動作を実行もしくは禁止することが可能となる。また、特別な操作を行う必要がないため、操作性が向上するという効果を奏する。
【００２９】
請求項９にかかる画像形成装置は、情報読取手段で読み取った原稿のＩＣチップ情報に基づいて、操作情報を自動設定する操作情報設定手段がプロセスカートリッジに設けられている。このため、ＩＣチップから得られた種々の情報に基づいて、プロセスカートリッジにより操作条件が自動設定されることから、特別な操作や操作件を操作部へ設定をする必要がなくなって、操作性が向上し、操作条件の設定ミスや無駄なコピーが行われるのを防止できる。また、ＩＣチップの情報を利用してプロセスカートリッジを動作させるため、より確実に画像形成を実行もしくは禁止させることができる。さらに、転写紙サイズや操作条件（倍率、片面あるいは両面など）が異なる原稿を使用したとしても、一度に原稿がセットできることから、生産性を向上させることができるという効果を奏する。なお、操作条件として、後処理（ソート、スタック、ステープル、パンチ、紙折りなど）などの条件も自動的に設定するようにしても良い。
【００３０】
請求項１０にかかる画像形成装置は、プロセスカートリッジの操作情報設定手段が、原稿のＩＣチップ情報に基づいて、転写紙条件、作像条件、定着条件のうち少なくとも一つの条件を自動設定する。このため、特別な操作を行うことなく、通常の操作で原稿から得られたＩＣチップの情報に基づいて、転写紙の紙種（普通紙、厚紙、薄紙、ＯＨＰ紙など）、作像条件（フルカラーやモノクロなどによる作像プロセスの動作）、定着条件（定着温度、定着速度など）が自動的に設定されることから、良好なコピーを自動的に得ることができる。また、ＩＣチップの情報を利用してプロセスカートリッジを動作させて画像形成の実行もしくは禁止を行うため、より確実にセキュリティ管理することができるという効果を奏する。
【００３１】
請求項１１にかかる画像形成装置は、ＩＣチップ検出手段によって原稿にＩＣチップが搭載されているか否かを検出し、原稿にＩＣチップが搭載されている場合は、ＩＣチップの情報に基づいてプロセスカートリッジにより画像形成動作を実行し、原稿にＩＣチップが搭載されていない場合は、プロセスカートリッジによる画像形成動作を実行しないようにする。このため、ＩＣチップが搭載されている原稿を検出した場合は、得られた情報に基づいてプロセスカートリッジが画像形成動作を継続する。また、ＩＣチップが搭載されていない原稿を検出した場合は、プロセスカートリッジが画像読み取り動作を途中で停止させたり、画像の作像動作を禁止したり、全面真っ白や真っ黒な画像を形成させたり、警報を鳴らすことによって使用者に注意を促し、不正を防止することから、情報資産の流出や漏洩を防止することが可能となる。さらに、ＩＣチップの情報を利用してプロセスカートリッジを動作させることから、より確実に画像形成動作の実行もしくは禁止して、不正な複写を防止できるという効果を奏する。
【００３２】
請求項１２にかかる画像形成装置は、切換手段によって画像形成動作を手動で行うか自動で行うかを切り換えることができ、切換手段が手動の場合は、手動設定された操作条件に基づいてプロセスカートリッジによる画像形成動作を実行し、切換手段が自動の場合は、原稿に搭載されたＩＣチップの情報に基づいてプロセスカートリッジによる画像形成動作の実行の可否を判断する。このため、機密情報などセキュリティ管理を必要とする情報資産の対象とならない一般情報を複写したい場合は、切換手段を用いることによって可能となり、使用者自らセキュリティ管理を取捨選択できるようにすることで、製品に多様性を持たせることができるという効果を奏する。また、ＩＣチップの情報を利用してプロセスカートリッジを直接動作させるため、より確実に画像形成動作の実行もしくは禁止を行って、不正な複写を防止することができる。
【発明を実施するための最良の形態】
【００３３】
以下に、本発明にかかる画像形成装置の実施の形態を図面に基づいて詳細に説明する。なお、この実施の形態によりこの発明が限定されるものではない。
【００３４】
（第１の実施の形態）
図１は、本発明にかかる画像形成装置の外観を説明する斜視図であり、図２は、図１における画像読取部と自動原稿搬送装置の内部構造を説明する断面図であり、図３は、図１のエンジン部と給紙部の内部構造を説明する断面図であり、図４は、第１の実施の形態にかかる画像形成装置の概略構成を示すブロック図である。
【００３５】
図１に示すように、本発明の画像形成装置１０は、カラーデジタル複写機を用いて実施したもので、カラー原稿を読み取るカラー画像読取部１１、読み取った画像情報に基づいて画像形成処理を行うエンジン部１２、画像形成装置１０の設定や操作を行う操作部１３、転写紙をストックし画像形成時にエンジン部１２に一枚ずつ供給する給紙部１４、原稿を一枚ずつ繰り出して読取部に搬送する原稿自動搬送装置（ＡＤＦ）１５、および、転写紙を外部から手差しで供給する手差しトレイ１６などで構成されている。
【００３６】
なお、カラー画像読取部１１とエンジン部１２とは、図１では分割して構成した例で示してあるが、両者を一体に構成しても勿論良い。
【００３７】
続いて、図２を用いて、カラー画像読取部１１と原稿自動搬送装置１５の構造を詳細に説明する。まず、カラー画像読取部１１は、原稿を置いて画像の読み取りを行う原稿台ガラス２０、原稿台ガラス２０上の原稿に対して光を照射する照明ランプ２２、その照明ランプ２２と一体に構成され反射光の角度を変える第１ミラー２１、および一体に構成された第２ミラー２３、第３ミラー２４で走査される。
【００３８】
さらに、その後の反射光は、レンズ２５によって集束され、カラーＣＣＤが搭載されたＳＢＵ２６で受光されて、光の三原色であるＲ（赤）Ｇ（緑）Ｂ（青）に光電変換される。
【００３９】
上記した第１ミラー２１と照明ランプ２２、および第２ミラー２３と第３ミラー２４は、走行体モータ２７を駆動源として、図２の左右方向に移動可能となっている。
【００４０】
本発明で使用される原稿には、情報が書き込み可能なＩＣチップが予め搭載されている。そして、図２の原稿台ガラス２０の下には、原稿台ガラス２０上に置かれた原稿に搭載されたＩＣチップに書き込まれた情報を読み取る情報読取手段としてのＩＣチップ読取部２８が設けられている。
【００４１】
原稿が原稿台ガラス２０上に置かれると、制御部６０は、ＩＣチップ読取部２８によって原稿に搭載されたＩＣチップの情報を自動的に読み取るように制御する。なお、図２で示したＩＣチップ読取部２８以外の設置場所として、第１ミラー２１と照明ランプ２２で一体に構成された第１キャリッジに搭載するようにしても良い。その場合、原稿を原稿台ガラス２０上に置くと、ＩＣチップに書き込まれた情報を自動的に読み取るようにする他、第１キャリッジを駆動源である走行体モータ２７によって、図２の左右方向に移動する際に自動的に読み取るようにしても良い。
【００４２】
また、原稿を原稿台ガラス２０上に置いた時に、原稿を押さえる側である原稿自動搬送装置１５側にＩＣチップ読取部を設けるようにしても良い。すなわち、このＩＣチップ読取部２８は、原稿を原稿台ガラス２０上に置いた時に、ＩＣチップの情報が読み取り可能な範囲内に設けられていれば良い。
【００４３】
続いて、自動原稿搬送装置１５の構成について説明する。ここでは、両面に印刷されている原稿を自動反転させながら搬送することのできる自動両面原稿搬送装置（以下、ＡＲＤＦともいう）を用いている。
【００４４】
まず、原稿は原稿台３０の原稿ガイド３１に沿って積載され、片面原稿読み取りを選択した場合は、呼び出しコロ３２と給紙ベルト３３によって、搬送コロ３４、分離コロ３５、第１搬送ローラ３６によってＤＦ用原稿ガラス２９と反射ガイド板３７との間の読取位置を経て、第２搬送ローラ３８および排紙ローラ３９へ送り込まれ、原稿が排出される。
【００４５】
一方、両面原稿読み取りを選択した場合は、まず原稿の表面の読み取りを上記した片面原稿読み取りを選択した場合とほぼ同様の手順で実施される。すなわち、呼び出しコロ３２と給紙ベルト３３により、搬送コロ３４、分離コロ３５、第１搬送ローラ３６によってＤＦ用原稿ガラス２９と反射ガイド板３７との間の読取位置を経て、第２搬送ローラ３８および排紙ローラ３９へ送り込まれる。しかし、ここでは原稿を排出せずに、分岐爪４０を下方へ切り換え、反転ローラ４１によって反転テーブル４２上へ移送される。そして、原稿の後端が排紙ローラ３９を抜けた後に分岐爪４０が上方へ切り換えられ、反転ローラ４１が一旦停止する。
【００４６】
続いて、原稿の裏面読み取りを実施する場合は、一旦停止していた反転ローラ４１を上記とは逆の方向へ回転させることによって、原稿が反転テーブル４２から第１搬送ローラ３６の方向へ搬送され、更に第１搬送ローラ３６を経て表面と同様にＤＦ用原稿ガラス２９と反射ガイド板３７との間の読取位置を経て、第２搬送ローラ３８および排紙ローラ３９へ送り込まれて、その後、原稿が排出される。
【００４７】
このように、原稿の表面と裏面の読み取りも共に、ＤＦ用原稿ガラス２９と反射ガイド板３７との間の読取位置を通過する際に、その読取位置の近傍に移動されている照明ランプ２２によって原稿面が照射され、その反射光を第１ミラー２１、および一体に構成された第２ミラー２３と第３ミラー２４とで走査される。そして、その反射光は、レンズ２５によって集束され、カラーＣＣＤが搭載されたＳＢＵ２６に照射されることによって、ＲＧＢに光電変換される。
【００４８】
図２に示すＡＲＤＦ１５は、呼び出しコロ３２、給紙ベルト３３、搬送コロ３４、分離コロ３５などの給紙機構が不図示の給紙モータによって駆動されている。また、第１搬送ローラ３６、第２搬送ローラ３８、排紙ローラ３９、反転ローラ４１などの搬送機構も不図示の搬送モータによって駆動されている。
【００４９】
また、ＡＲＤＦ１５には、原稿を検知するために原稿台３０へ原稿がセットされているか否かを検知するセットセンサ４３、原稿サイズを検知するための幅サイズ検知基板４４、第１原稿長さセンサ４５と第２原稿長さセンサ４６、原稿の後端を検知するための原稿後端センサ４７などが搭載されている。
【００５０】
さらに、ＡＲＤＦ１５では、原稿台３０の裏側にあらかじめＩＣチップが搭載された原稿の情報を読み取るＩＣチップ読取部２８が設けられている。そして、原稿台３０の原稿ガイド３１に沿って積載された原稿が送り込まれる毎に、原稿と対向して設けられたＩＣチップ読取部２８がＩＣチップの情報を自動的に読み取るように制御される。
【００５１】
なお、ＩＣチップ読取部２８の設置場所は、図２に示した場所以外に、原稿台３０〜反転テーブル４２〜ＤＦ用原稿ガラス２９と反射ガイド板３７〜原稿排出部までの間で、ＡＲＤＦ１５から片面原稿読み取りもしくは両面原稿読み取りの際に、原稿が搬送される搬送路、およびその近辺の読み取り範囲内に設けられていれば良い。
【００５２】
第１の実施の形態で用いられる原稿には、予めＩＣチップが搭載されており、そのＩＣチップに種々の情報を書き込むことができる。このため、原稿に搭載されたＩＣチップから情報を読み取ることによって、カラー画像形成装置における原稿の取り扱い、あるいは、機密文書に属する原稿画像のセキュリティの面で有効利用することができる。
【００５３】
原稿のＩＣチップに書き込む情報例としては、以下のようなものがある。ＩＣチップに書き込まれる情報は、原稿の取り扱いやセキュリティ方法について決定するために利用することを目的としている。このため、ＩＣチップの情報として、（１）文書の機密管理をする場合は、使用者を識別するための情報、あるいは、文書の機密性の範囲（一般、社外秘、マル秘など）を明示する情報などを書き込むことができる。
【００５４】
また、ＩＣチップの情報として、（２）原稿の操作情報を設定する場合は、転写紙の種類（普通紙、厚紙、薄紙、ＯＨＰ紙など）に関する情報、転写紙サイズの情報、操作条件（倍率、片面あるいは両面印刷など）に関する情報などを書き込むことができる。
【００５５】
さらに、ＩＣチップの情報として、（３）作像条件（フルカラーやモノクロなど）に関する情報、（４）定着条件（定着温度、定着速度など）に関する情報、あるいは、（５）原稿の付加情報として、ヘッダ−／フッター情報（ページ数や何枚目など）、課金情報（原稿の価格、プリントもしくはコピーする場合の価格など）、後処理情報（ソート、スタック、ステープル、パンチ、紙折りなど）を書き込むことができる。
【００５６】
次に、図３を用いてカラー画像形成装置のエンジン部１２における一連の画像形成動作について説明する。図３のエンジン部１２では、画像形成時に、書き込みユニット５０から各画像データに応じて、ＫＹＣＭの各色の感光体ユニット５１Ｋ（黒）、５１Ｙ（イエロー）、５１Ｃ（シアン）５１Ｍ（マゼンタ）の感光体に対してレーザを照射することにより、あらかじめ帯電された各感光体上に静電潜像が形成される。
【００５７】
続いて、各感光体上の静電潜像部分には、各トナーカートリッジ５２（黒／イエロー／シアン／マゼンタ）から供給される各色トナーをそれぞれ付着させることにより、各感光体上の静電潜像が顕像化される（現像処理）。
【００５８】
給紙部１４から給送される転写紙５３は、転写ユニット５４へ１枚ずつ搬送され、転写ユニット５４上を搬送しながら各感光体上で顕像化されたトナー像を順次転写紙上に転写した後、定着部５５で定着されて排紙部５６へ排出される。
【００５９】
このように、カラー画像形成装置のエンジン部１２では、転写紙は以上のような搬送経路を経て画像が形成され、排紙される。
【００６０】
本第１の実施の形態にかかるカラー画像形成装置１０は、図４に示すように構成されており、原稿に搭載されているＩＣチップの情報を読み取る情報読取手段と、ＩＣチップの有無を検出するＩＣチップ検出手段とを兼ねたＩＣチップ読取部２８，４８、原稿の画像を読み取る画像読取手段としてのカラー画像読取部１１、カラー画像形成装置１０の設定や操作を行う操作部１３、読み取ったＩＣチップの情報に基づいて画像形成動作を自動で行うか手動で行うかを切り換える切換手段としての切換部６２、転写紙に画像形成動作を行う画像形成手段としてのエンジン部１２、カラー画像形成装置１０の各部を制御すると共に、ＩＣチップから読み取った情報に基づいて操作情報を自動設定する操作情報設定手段としての制御部６０、原稿から読み取った画像情報やＩＣチップから読み取った情報、あるいは、設定された操作情報などを一時的に保存するメモリ部６１などで構成されている。
【００６１】
ＩＣチップ読取部２８，４８は、図２に示すように、原稿台ガラス２０上に置かれた原稿のＩＣチップに書き込まれている情報を読み取るＩＣチップ読取部２８と、ＡＲＤＦ１５で原稿に搭載されたＩＣチップの情報を読み取るＩＣチップ読取手段４８とがある。読み取ったＩＣチップの情報は、一旦制御部６０に入力される。
【００６２】
制御部６０は、不図示のＣＰＵなどで構成されており、カラー画像読取部１１とエンジン部１２と操作条件を設定するための操作部１３、および、カラー画像形成装置１０の動作や設定条件などを記憶するメモリ部６１などが接続されている。
【００６３】
また、制御部６０は、この他にもＩＣチップを搭載した原稿から読み取った情報に基づいて実行される画像形成動作を、自動もしくは手動に切り換える切換部６２が接続されている。この切換部６２は、ここではハード的なスイッチ（ＳＷ）で構成されていて、操作部１３とは独立して配置したが、操作部１３上に設けて一体化しても良い。このように、制御部６０は、カラー画像形成装置１０の全体を制御している。
【００６４】
第１の実施の形態にかかるカラー画像形成装置は、上述したように構成されており、以下その動作について説明する。図５は、原稿台ガラス上に置かれた原稿のＩＣチップの情報を読み取るＩＣチップ読取部を備えたカラー画像形成装置の動作を説明するフローチャートである。
【００６５】
まず、ＩＣチップ読取部２８は、原稿台ガラス２０上に置かれた原稿のＩＣチップの有無を検出し（ステップＳ１００）、原稿にＩＣチップが搭載されていることを検知すると、ＩＣチップデータの読み取りを開始する（ステップＳ１０１）。途中、ＩＣチップデータの読み取りが完了したかどうかを確認し（ステップＳ１０２）、完了していない場合はステップＳ１０１に戻ってＩＣチップデータの読み取りを継続する。
【００６６】
ＩＣチップデータの読み取りが全て完了した場合は、ステップＳ１０３に移行して、ＩＣチップに書かれている使用者ＩＤデータ（Ｄ１）と、あらかじめメモリ部６１に記憶されている使用者ＩＤデータ（Ｄ０）とを比較する。
【００６７】
上記Ｄ１とＤ０との比較結果が同じ場合は（ステップＳ１０４のＹＥＳ）、使用者ＩＤが一致したと判断し、次の操作や処理を有効にするための次操作有効処理と、操作部１３へ使用者ＩＤ一致を促すための有効メッセージを表示して（ステップＳ１０５）、画像形成動作を実行する。
【００６８】
上記Ｄ１とＤ０との比較結果が同一でない場合、例えば、異なる場合やデータが書き込まれていない場合は（ステップＳ１０４のＮＯ）、使用者ＩＤが不一致と判断して、次の操作や処理を無効にするための次操作禁止処理と、操作部１３へ使用者ＩＤ不一致を促すための禁止メッセージ表示を行い（ステップＳ１０６）、画像形成動作は実行されない。
【００６９】
なお、図５では、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作も図５と同様であるので、動作説明を省略する。
【００７０】
次に、図６は、原稿台ガラス上に置かれた原稿のＩＣチップの情報を読み取って自動的に操作情報を設定するカラー画像形成装置の動作を説明するフローチャートである。
【００７１】
まず、ＩＣチップ読取部２８は、原稿台ガラス２０上に置かれた原稿のＩＣチップの有無を検出し（ステップＳ２００）、ＩＣチップを検出すると、ＩＣチップデータの読み取りを開始する（ステップＳ２０１）。途中、ＩＣチップデータの読み取りが完了したかどうかを確認し（ステップＳ２０２）、完了していない場合はステップＳ２０１に戻ってＩＣチップデータの読み取りを継続する。
【００７２】
ＩＣチップデータの読み取りが全て完了した場合は、ステップＳ２０３に移行して、ＩＣチップに書かれている使用者ＩＤデータ（Ｄ１）と、あらかじめメモリ部６１に記憶されている使用者ＩＤデータ（Ｄ０）とを比較する。
【００７３】
上記Ｄ１とＤ０との比較結果が同じ場合は（ステップＳ２０４のＹＥＳ）、使用者ＩＤが一致したと判断し、次の操作や処理を有効にするための次操作有効処理が行われる（ステップＳ２０５）。続いて、先にＩＣチップから読み取ったＩＣチップデータの操作部設定データ（Ｓ１）から操作部の設定条件を決定する（ステップＳ２０６）。
【００７４】
ステップＳ２０６で決定された操作部設定条件に基づいて、カラー画像読取部１１とエンジン部１２の操作条件を設定する（ステップＳ２０７）。また、操作部１３にその設定条件を表示し、併せて使用者ＩＤ一致を促すための有効メッセージ表示を行って（ステップＳ２０８）、画像形成動作を実行する。
【００７５】
また、上記Ｄ１とＤ０との比較結果が同一でない場合、例えば、異なる場合やデータが書き込まれていない場合は（ステップＳ２０４のＮＯ）、使用者ＩＤが不一致と判断して、次の操作や処理を無効にするための次操作禁止処理と、操作部１３へ使用者ＩＤ不一致を促すための禁止メッセージ表示を行い（ステップＳ２０９）、画像形成動作は実行されない。
【００７６】
なお、図６では、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作も図６と同様であるので、動作説明を省略する。
【００７７】
次に、図７は、原稿台ガラス上に置かれた原稿のＩＣチップの情報を読み取って自動的に転写紙条件、作像条件、定着条件を設定するカラー画像形成装置の動作を説明するフローチャートである。
【００７８】
まず、ＩＣチップ読取部２８は、原稿台ガラス２０上に置かれた原稿のＩＣチップの有無を検出し（ステップＳ３００）、ＩＣチップを検出すると、ＩＣチップデータの読み取りを開始する（ステップＳ３０１）。途中、ＩＣチップデータの読み取りが完了したかどうかを確認し（ステップＳ３０２）、完了していない場合はステップＳ３０１に戻ってＩＣチップデータの読み取りを継続する。
【００７９】
ＩＣチップデータの読み取りが全て完了した場合は、ステップＳ３０３に移行して、ＩＣチップに書かれている使用者ＩＤデータ（Ｄ１）と、あらかじめメモリ部６１に記憶されている使用者ＩＤデータ（Ｄ０）とを比較する。
【００８０】
上記Ｄ１とＤ０との比較結果が同じ場合は（ステップＳ３０４のＹＥＳ）、使用者ＩＤが一致したと判断し、次の操作や処理を有効にするための次操作有効処理が行われる（ステップＳ３０５）。続いて、先にＩＣチップから読み取ったＩＣチップデータの転写紙条件、作像条件、定着条件などの設定データ（Ｅ１）から転写紙、作像条件、定着条件の設定条件を決定する（ステップＳ３０６）。
【００８１】
ステップＳ３０６で決定された転写紙、作像条件、定着条件の設定条件に基づいて、カラー画像読取部１１とエンジン部１２の転写紙、作像条件、定着条件を設定する（ステップＳ３０７）。また、操作部１３にその設定条件を表示し、併せて使用者ＩＤ一致を促すための有効メッセージ表示を行って（ステップＳ３０８）、画像形成動作を実行する。
【００８２】
また、上記Ｄ１とＤ０との比較結果が同一でない場合、例えば、異なる場合やデータが書き込まれていない場合は（ステップＳ３０４のＮＯ）、使用者ＩＤが不一致と判断して、次の操作や処理を無効にするための次操作禁止処理と、操作部１３へ使用者ＩＤ不一致を促すための禁止メッセージ表示を行い（ステップＳ３０９）、画像形成動作は実行されない。
【００８３】
なお、図７では、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作も図７と同様であるので、動作説明を省略する。
【００８４】
次に、図８は、原稿台ガラス上に置かれた原稿のＩＣチップの有無を検出して、自動的に画像形成の可否判断を行うカラー画像形成装置の動作を説明するフローチャートである。
【００８５】
まず、ＩＣチップ読取部２８は、原稿台ガラス２０上に置かれた原稿のＩＣチップの有無を検出する（ステップＳ４００）。原稿にＩＣチップが搭載されていないことを検出すると、ステップＳ４０１に移行して、制御部６０はＩＣチップデータの読み取りを実行せずに、カラー画像読取部１１、エンジン部１２の操作条件、転写紙、作像条件、定着条件を白紙画像（白紙コピー）の画像形成条件で設定して、画像形成動作を実行する。
【００８６】
また、ステップＳ４００で原稿にＩＣチップが搭載されていることを検出すると、ＩＣチップデータの読み取りを開始する（ステップＳ４０２）。途中、ＩＣチップデータの読み取りが完了したかどうかを確認し（ステップＳ４０３）、完了していない場合はステップＳ４０２に戻ってＩＣチップデータの読み取りを継続する。
【００８７】
ＩＣチップデータの読み取りが全て完了した場合は、ステップＳ４０４に移行して、ＩＣチップに書かれている使用者ＩＤデータ（Ｄ１）と、あらかじめメモリ部６１に記憶されている使用者ＩＤデータ（Ｄ０）とを比較する。
【００８８】
上記Ｄ１とＤ０との比較結果が同じ場合は（ステップＳ４０５のＹＥＳ）、使用者ＩＤが一致したと判断し、次の操作や処理を有効にするための次操作有効処理と、操作部１３へ使用者ＩＤ一致を促すための有効メッセージを表示する（ステップＳ４０６）。
【００８９】
続いて、先にＩＣチップから読み取ったＩＣチップデータの操作部設定データ（Ｓ１）から操作部１３の設定条件と、ＩＣチップデータの転写紙、作像条件、定着条件の設定データ（Ｅ１）から転写紙、作像条件、定着条件の設定条件を決定する（ステップＳ４０７）。
【００９０】
ステップＳ４０７で決定された操作部条件、転写紙、作像条件、定着条件の設定条件からカラー画像読取部１１とエンジン部１２の操作条件、転写紙、作像条件、定着条件を設定する（ステップＳ４０８）。
【００９１】
そして、操作部１３へその設定条件を表示して、カラー画像読取部１１とエンジン部１２の画像形成処理動作を実行する（ステップＳ４０９）。
【００９２】
また、ステップＳ４００で原稿にＩＣチップが搭載されていることを検出しても、ステップＳ４０５において、Ｄ１とＤ０とを比較してその結果が同一以外の場合、例えば、異なる場合やデータが書き込まれていない場合は（ステップＳ４０５のＮＯ）、使用者ＩＤが不一致と判断して、次の操作や処理を無効にするための次操作禁止処理と、操作部１３へ使用者ＩＤ不一致を促すための禁止メッセージ表示を行い（ステップＳ４１０）、画像形成動作は実行されない。
【００９３】
なお、図８では、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作も図８と同様であるので、動作説明を省略する。
【００９４】
次に、図９は、画像形成動作を切り換える切換部が自動になっていて原稿台ガラス上に置かれた原稿のＩＣチップが検出されると自動的に画像形成の可否判断を行うカラー画像形成装置の動作を説明するフローチャートである。
【００９５】
まず、制御部６０は、切換部６２が自動になっているか手動になっているかを検出する（ステップＳ５００）。切換部６２が手動になっていることを検出すると、ＩＣチップ読取部２８のＩＣチップデータの読み取りを実行せずに、次の操作や処理を有効にするための次操作有効処理と操作部１３へ操作条件の手動設定が可能なことを促すための有効メッセージを表示し、操作条件が設定された後（ステップＳ５０１）、画像形成動作を実行する。
【００９６】
また、ステップＳ５００において、制御部６０は、切換部６２が自動になっていることを検出し、ＩＣチップ読取部２８が原稿台ガラス２０上に置かれた原稿のＩＣチップを検出すると（ステップＳ５０２）、ＩＣチップデータの読み取りが開始される（ステップＳ５０３）。
【００９７】
ＩＣチップデータの読み取りが全て完了した場合は、ステップＳ５０５に移行して、ＩＣチップに書かれている使用者ＩＤデータ（Ｄ１）と、あらかじめメモリ部６１に記憶されている使用者ＩＤデータ（Ｄ０）とを比較する。
【００９８】
上記Ｄ１とＤ０との比較結果が同じ場合は（ステップＳ５０６のＹＥＳ）、使用者ＩＤが一致したと判断し、次の操作や処理を有効にするための次操作有効処理と、操作部１３へ使用者ＩＤ一致を促すための有効メッセージを表示し（ステップＳ５０７）、画像形成動作を実行する。
【００９９】
上記Ｄ１とＤ０との比較結果が同一でない場合、例えば、異なる場合やデータが書き込まれていない場合は（ステップＳ５０６のＮＯ）、使用者ＩＤが不一致と判断して、次の操作や処理を無効にするための次操作禁止処理と、操作部１３へ使用者ＩＤ不一致を促すための禁止メッセージ表示を行い（ステップＳ５０８）、画像形成動作は実行されない。
【０１００】
なお、図９では、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作も図９と同様であるので、動作説明を省略する。
【０１０１】
また、図９のフローチャートには図示していないが、ステップＳ５００において制御部６０が切換部６２の状態（手動か自動か）を検出する前に、ＩＣチップのデータを読み取って、使用者ＩＤと一致した場合にのみ、切換部６２の手動切り換えによる操作を有効にするようにしてもよい。そうすることで、使用者をより限定できるため、一層厳密なセキュリティ管理可能となり、更に良好な効果を得ることができる。
【０１０２】
（第２の実施の形態）
図１０は、第２の実施の形態にかかる画像形成装置の概略構成を示すブロック図である。第２の実施の形態にかかるカラー画像形成装置７０の特徴は、図１０に示すように、ＩＣチップ読取部２８または４８を使って読み取ったＩＣチップのデータを、制御部６０および画像形成処理を行うプロセスカートリッジ７１を経由して、エンジン部１２、操作条件を設定するための操作部１３、転写紙を供給する給紙部１４などへ送るように構成されている点にある。
【０１０３】
また、制御部６０は、不図示のＣＰＵなどが実装され、カラー画像読取部１１、実行される画像形成動作を自動で行うか手動で行うかを切り換える切換手段としての切換部６２、画像形成装置の動作や設定条件などが記憶されているメモリ部６１、および画像形成処理の一部を行うプロセスカートリッジ７１などが接続されている。
【０１０４】
このプロセスカートリッジ７１は、例えば、書込ユニット、感光体ユニット、トナーカートリッジ、現像ユニット、転写ユニット、給紙ユニット、あるいは定着ユニットなどを単独もしくは複数組み合わせたものをいう。ここでは、プロセスカートリッジ７１にＣＰＵ７２とプロセスカートリッジ制御部７３と不図示の画像形成機構が実装されており、プロセスカートリッジ制御部７３に対して、エンジン部１２と、操作条件を設定するための操作部１３と、転写紙を供給する給紙部１４とが接続されている。
【０１０５】
また、上記プロセスカートリッジ７１は、ＩＣチップを搭載した原稿から読み取った情報をバイパスする電気的接続手段であればよいため、上記したＣＰＵ７２やプロセスカートリッジ制御部７３を必ずしも持つ必要はない。このように、第２の実施の形態では、プロセスカートリッジ７１がカラー画像形成装置７０にセットされていないと、画像形成自体が実行できないばかりでなく、エンジン部１２、給紙部１４、操作部１３なども動作できないように構成されている。
【０１０６】
なお、図１０中においては、上記第１の実施の形態における図４と同一または相当部に同一符号を付して、構成説明を省略する。
【０１０７】
次に、第２の実施の形態の動作について説明する。まず、原稿台ガラス上に置かれた原稿のＩＣチップの情報を読み取って、その情報に基づいて画像形成動作を行う場合の動作は、図５を参照しながら説明する。図１０の制御部６０は、ＩＣチップ読取部２８を使って原稿台ガラス２０上に置かれた原稿のＩＣチップの有無を検出し（ステップＳ１００参照）、ＩＣチップがある場合はＩＣチップ読取部２８でＩＣチップに書き込まれている情報を読み取り（ステップＳ１０１参照）、制御部６０へ入力する。
【０１０８】
ＩＣチップデータの読み取りが全て完了した場合は（ステップＳ１０２参照）、制御部６０でＩＣチップに書かれている使用者ＩＤデータ（Ｄ１）と、あらかじめメモリ部６１に記憶されている使用者ＩＤデータ（Ｄ０）とを比較する。
【０１０９】
上記Ｄ１とＤ０との比較結果が同じ場合は（ステップＳ１０４のＹＥＳ参照）、使用者ＩＤが一致したと判断し、次の操作や処理を有効にするための次操作有効処理と、操作部１３へ使用者ＩＤ一致を促すための有効メッセージを表示させるように、プロセスカートリッジ制御部７３を介してエンジン部１２、操作部１３、給紙部１４などにデータを送り（ステップＳ１０５参照）、画像形成動作を実行する。
【０１１０】
上記Ｄ１とＤ０との比較結果が同一でない場合、例えば、異なる場合やデータが書き込まれていない場合は（ステップＳ１０４のＮＯ参照）、使用者ＩＤが不一致と判断して、次の操作や処理を無効にするための次操作禁止処理と、操作部１３へ使用者ＩＤ不一致を促すための禁止メッセージ表示を行うように、プロセスカートリッジ制御部７３を介してエンジン部１２、操作部１３、給紙部１４を制御し（ステップＳ１０６参照）、画像形成動作は実行されない。
【０１１１】
なお、第２の実施の形態において、原稿台ガラス上に置かれた原稿のＩＣチップの情報を読み取るＩＣチップ読取部２８を用いた場合の動作を図５のフローチャートを参照しながら説明したが、ＡＲＤＦ１５で原稿のＩＣチップの情報を読み取るＩＣチップ読取部４８を用いた場合の動作についてもこれと同様であるので、動作説明を省略する。
【０１１２】
次に、第２の実施の形態において、原稿台ガラス上に置かれた原稿のＩＣチップの情報を読み取って自動的に操作情報を設定する場合の動作は、図６を参照しながら説明する。
【０１１３】
まず、図１０の制御部６０は、ＩＣチップ読取部２８を使って原稿台ガラス２０上に置かれた原稿のＩＣチップの有無を検出し（ステップＳ２００参照）、ＩＣチップを検出すると、ＩＣチップデータの読み取りを開始する（ステップＳ２０１参照）。
【０１１４】
ＩＣチップデータの読み取りが全て完了した場合は、ステップＳ２０３のように、ＩＣチップに書かれている使用者ＩＤデータ（Ｄ１）と、あらかじめメモリ部６１に記憶されている使用者ＩＤデータ（Ｄ０）とを比較する。
【０１１５】
上記Ｄ１とＤ０との比較結果が同じ場合は（ステップＳ２０４のＹＥＳ参照）、使用者ＩＤが一致したと判断し、プロセスカートリッジ７１を介して次の操作や処理を有効にするための次操作有効処理が行われる（ステップＳ２０５参照）。続いて、先にＩＣチップから読み取ったＩＣチップデータの操作部設定データ（Ｓ１）から、プロセスカートリッジ制御部７３を介して操作部１３の設定条件を決定する（ステップＳ２０６参照）。
【０１１６】
ステップＳ２０６で決定された操作部設定条件に基づいて、カラー画像読取部１１とエンジン部１２の操作条件を設定する（ステップＳ２０７参照）。また、操作部１３にその設定条件を表示し、併せて使用者ＩＤ一致を促すための有効メッセージ表示を行って（ステップＳ２０８参照）、画像形成動作を実行する。
【０１１７】
また、上記Ｄ１とＤ０との比較結果が同一でない場合、例えば、異なる場合やデータが書き込まれていない場合は（ステップＳ２０４のＮＯ参照）、使用者ＩＤが不一致と判断し、プロセスカートリッジ制御部７３を介して、次の操作や処理を無効にするための次操作禁止処理と、操作部１３へ使用者ＩＤ不一致を促すための禁止メッセージ表示を行い（ステップＳ２０９参照）、画像形成動作は実行されない。
【０１１８】
なお、第２の実施の形態では、図６を参照して、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作もこれと同様であるので、動作説明を省略する。
【０１１９】
次に、第２の実施の形態において、原稿台ガラス上に置かれた原稿のＩＣチップの情報を読み取って自動的に転写紙条件、作像条件、定着条件を設定するカラー画像形成装置の動作を図７を参照しながら説明する。
【０１２０】
まず、制御部６０は、ＩＣチップ読取部２８を使って原稿台ガラス２０上に置かれた原稿のＩＣチップの有無を検出し（ステップＳ３００参照）、ＩＣチップを検出すると、ＩＣチップデータの読み取りを開始する（ステップＳ３０１参照）。
【０１２１】
ＩＣチップデータの読み取りが全て完了した場合は、ステップＳ３０３のように、ＩＣチップに書かれている使用者ＩＤデータ（Ｄ１）と、あらかじめメモリ部６１に記憶されている使用者ＩＤデータ（Ｄ０）とを比較する。
【０１２２】
上記Ｄ１とＤ０との比較結果が同じ場合は（ステップＳ３０４のＹＥＳ参照）、使用者ＩＤが一致したと判断し、プロセスカートリッジ７１を介して次の操作や処理を有効にするための次操作有効処理が行われる（ステップＳ３０５参照）。続いて、先にＩＣチップから読み取ったＩＣチップデータの転写紙条件、作像条件、定着条件などの設定データ（Ｅ１）から、プロセスカートリッジ７１を介して転写紙、作像条件、定着条件の設定条件を決定する（ステップＳ３０６参照）。
【０１２３】
ステップＳ３０６で決定された転写紙、作像条件、定着条件の設定条件に基づいて、カラー画像読取部１１とエンジン部１２の転写紙、作像条件、定着条件を設定する（ステップＳ３０７参照）。また、操作部１３にその設定条件を表示し、併せて使用者ＩＤ一致を促すための有効メッセージ表示を行って（ステップＳ３０８参照）、画像形成動作を実行する。
【０１２４】
また、上記Ｄ１とＤ０との比較結果が同一でない場合、例えば、異なる場合やデータが書き込まれていない場合は（ステップＳ３０４のＮＯ参照）、使用者ＩＤが不一致と判断し、プロセスカートリッジ制御部７３を介して、次の操作や処理を無効にするための次操作禁止処理と、操作部１３へ使用者ＩＤ不一致を促すための禁止メッセージ表示を行い（ステップＳ３０９参照）、画像形成動作は実行されない。
【０１２５】
なお、第２の実施の形態では、図７を参照して、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作もこれと同様であるので、動作説明を省略する。
【０１２６】
次に、第２の実施の形態において、原稿台ガラス上に置かれた原稿のＩＣチップの有無を検出して、自動的に画像形成の可否判断を行うカラー画像形成装置の動作を図８を参照しながら説明する。
【０１２７】
まず、制御部６０は、ＩＣチップ読取部２８を使って原稿台ガラス２０上に置かれた原稿のＩＣチップの有無を検出し（ステップＳ４００参照）、原稿にＩＣチップが搭載されていないことを検出すると、ステップＳ４０１に移行して、制御部６０はＩＣチップデータの読み取りを実行せずに、カラー画像読取部１１と、プロセスカートリッジ７１を介してエンジン部１２の操作条件、転写紙、作像条件、定着条件を白紙画像（白紙コピー）の画像形成条件で設定して、画像形成動作を実行する。
【０１２８】
また、ステップＳ４００で原稿にＩＣチップが搭載されていることを検出すると、ＩＣチップデータの読み取りを開始する（ステップＳ４０２参照）。
【０１２９】
ＩＣチップデータの読み取りが全て完了した場合は、ステップＳ４０４のように、ＩＣチップに書かれている使用者ＩＤデータ（Ｄ１）と、あらかじめメモリ部６１に記憶されている使用者ＩＤデータ（Ｄ０）とを比較する。
【０１３０】
上記Ｄ１とＤ０との比較結果が同じ場合は（ステップＳ４０５のＹＥＳ参照）、使用者ＩＤが一致したと判断し、プロセスカートリッジ７１を介して次の操作や処理を有効にするための次操作有効処理と、操作部１３へ使用者ＩＤ一致を促すための有効メッセージを表示させる（ステップＳ４０６参照）。
【０１３１】
続いて、先にＩＣチップから読み取ったＩＣチップデータの操作部設定データ（Ｓ１）からプロセスカートリッジ７１を介して操作部１３の設定条件と、ＩＣチップデータの転写紙、作像条件、定着条件の設定データ（Ｅ１）から転写紙、作像条件、定着条件の設定条件を決定する（ステップＳ４０７参照）。
【０１３２】
ステップＳ４０７で決定された操作部条件、転写紙、作像条件、定着条件の設定条件からカラー画像読取部１１とエンジン部１２の操作条件、転写紙、作像条件、定着条件を設定する（ステップＳ４０８参照）。
【０１３３】
そして、プロセスカートリッジ７１を介して操作部１３へ設定条件を表示し、カラー画像読取部１１とエンジン部１２への画像形成処理動作を実行する（ステップＳ４０９参照）。
【０１３４】
また、ステップＳ４００で原稿にＩＣチップが搭載されていることを検出しても、ステップＳ４０５において、Ｄ１とＤ０とを比較してその結果が同一以外の場合、例えば、異なる場合やデータが書き込まれていない場合は（ステップＳ４０５のＮＯ参照）、使用者ＩＤが不一致と判断して、プロセスカートリッジ７１を介して次の操作や処理を無効にするための次操作禁止処理と、操作部１３へ使用者ＩＤ不一致を促すための禁止メッセージ表示を行い（ステップＳ４１０参照）、画像形成動作は実行されない。
【０１３５】
なお、第２の実施の形態では、図８を参照して、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作もこれと同様であるので、動作説明を省略する。
【０１３６】
次に、第２の実施の形態において、画像形成動作を切り換える切換部が自動になっていて、原稿台ガラス上に置かれた原稿のＩＣチップが検出されると、自動的に画像形成の可否判断を行う場合の動作を、図９を参照しながら説明する。
【０１３７】
まず、制御部６０は、切換部６２が自動になっているか手動になっているかを検出し（ステップＳ５００参照）、切換部６２が手動になっていることを検出すると、ＩＣチップ読取部２８のＩＣチップデータの読み取りを実行せずに、プロセスカートリッジ７１を介して次の操作や処理を有効にするための次操作有効処理と操作部１３へ操作条件の手動設定が可能なことを促すための有効メッセージを表示し、操作条件が設定された後（ステップＳ５０１参照）、画像形成動作が実行される。
【０１３８】
また、ステップＳ５００のように、制御部６０は、切換部６２が自動になっていることを検出し、ＩＣチップ読取部２８が原稿台ガラス２０上に置かれた原稿のＩＣチップを検出すると（ステップＳ５０２参照）、ＩＣチップデータの読み取りを開始する（ステップＳ５０３参照）。
【０１３９】
ＩＣチップデータの読み取りが全て完了した場合は、ステップＳ５０５に移行して、ＩＣチップに書かれている使用者ＩＤデータ（Ｄ１）と、あらかじめメモリ部６１に記憶されている使用者ＩＤデータ（Ｄ０）とを比較する。
【０１４０】
上記Ｄ１とＤ０との比較結果が同じ場合は（ステップＳ５０６のＹＥＳ参照）、使用者ＩＤが一致したと判断し、プロセスカートリッジ７１を介して次の操作や処理を有効にするための次操作有効処理と、操作部１３へ使用者ＩＤ一致を促すための有効メッセージを表示し（ステップＳ５０７参照）、画像形成動作を実行する。
【０１４１】
上記Ｄ１とＤ０との比較結果が同一でない場合、例えば、異なる場合やデータが書き込まれていない場合は（ステップＳ５０６のＮＯ参照）、使用者ＩＤが不一致と判断し、プロセスカートリッジ制御部７３を介して、次の操作や処理を無効にするための次操作禁止処理と、操作部１３へ使用者ＩＤ不一致を促すための禁止メッセージ表示を行い（ステップＳ５０８参照）、画像形成動作は実行されない。
【０１４２】
なお、第２の実施の形態では、図９を参照して、原稿台ガラス上に置かれた原稿のＩＣチップの情報を読み取るＩＣチップ読取部２８を用いた場合の動作について説明したが、ＡＲＤＦ１５で原稿のＩＣチップの情報を読み取るＩＣチップ読取部４８を用いた場合の動作もこれと同様であるので、動作説明を省略する。
【０１４３】
また、第２の実施の形態の場合も、第１の実施の形態と同様に、図９のフローチャートには図示していないが、ステップＳ５００にて制御部６０が切換部６２の状態（手動か自動か）を検出する前に、ＩＣチップのデータを読み取って、使用者ＩＤと一致した場合にのみ、切換部６２の手動切り換えによる操作を有効にするようにしてもよい。そうすることで、使用者をより限定できるため、一層厳密なセキュリティ管理可能となり、更に良い効果を得ることができる。
【０１４４】
なお、上記第１および第２の実施の形態では、ＩＣチップ読取部２８，４８をカラー画像読取部１１の近傍に設けた例を用いて説明したが（図２参照）、必ずしもこれに限定されず、カラー画像形成装置のどこかに設けられていれば良い。例えば、転写紙の排出後の後処理装置（ソータやフィニッシャなど）、あるいは、プロセスカートリッジ７１に設けるなどして、原稿に搭載されたＩＣチップの情報が読み取れるものであれば設置場所は限定されない。
【産業上の利用可能性】
【０１４５】
以上のように、本発明にかかる画像形成装置は、ＩＣチップが搭載された原稿の画像を読み取って画像を形成する際に、ＩＣチップに書き込まれた情報を読み取り、その情報に基づいて画像形成動作を制御するようにしたもので、プロセスカートリッジを具備するものであってもよく、カラーやモノクロの複写機、プリンタ、ファクシミリ、あるいは、それらの複合機といった画像形成装置に適している。
【図面の簡単な説明】
【０１４６】
【図１】本発明にかかる画像形成装置の外観を説明する斜視図である。
【図２】図１における画像読取部と自動原稿搬送装置の内部構造を説明する断面図である。
【図３】図１のエンジン部と給紙部の内部構造を説明する断面図である。
【図４】第１の実施の形態にかかる画像形成装置の概略構成を示すブロック図である。
【図５】原稿台ガラス上に置かれた原稿のＩＣチップの情報を読み取るＩＣチップ読取部を備えたカラー画像形成装置の動作を説明するフローチャートである。
【図６】原稿台ガラス上に置かれた原稿のＩＣチップの情報を読み取って自動的に操作情報を設定するカラー画像形成装置の動作を説明するフローチャートである。
【図７】原稿台ガラス上に置かれた原稿のＩＣチップの情報を読み取って自動的に転写紙条件、作像条件、定着条件を設定するカラー画像形成装置の動作を説明するフローチャートである。
【図８】原稿台ガラス上に置かれた原稿のＩＣチップの有無を検出して、自動的に画像形成の可否判断を行うカラー画像形成装置の動作を説明するフローチャートである。
【図９】画像形成動作を切り換える切換部が自動になっていて原稿台ガラス上に置かれた原稿のＩＣチップが検出されると自動的に画像形成の可否判断を行うカラー画像形成装置の動作を説明するフローチャートである。
【図１０】第２の実施の形態にかかる画像形成装置の概略構成を示すブロック図である。
【符号の説明】
【０１４７】
１０  画像形成装置
１１  カラー画像読取部
１２  エンジン部
１３  操作部
１４  給紙部
１５  原稿自動搬送装置（ＡＤＦまたはＡＲＤＦ）
１６  手差しトレイ
２０  原稿台ガラス
２１  第１ミラー
２２  照明ランプ
２３  第２ミラー
２４  第３ミラー
２５  レンズ
２６  ＳＢＵ
２７  走行体モータ
２８  ＩＣチップ読取部
２９  ＤＦ用原稿ガラス
３０  原稿台
３１  原稿ガイド
３２  呼び出しコロ
３３  給紙ベルト
３４  搬送コロ
３５  分離コロ
３６  第１搬送ローラ
３７  反射ガイド板
３８  第２搬送ローラ
３９  排紙ローラ
４０  分岐爪
４１  反転ローラ
４２  反転テーブル
４３  セットセンサ
４４  幅サイズ検知基板
４５  第１原稿長さセンサ
４６  第２原稿長さセンサ
４７  原稿後端センサ
４８  ＩＣチップ読取部
５０  書き込みユニット
５１  感光体ユニット
５２  トナーカートリッジ
５３  転写紙
５４  転写ユニット
５５  定着部
５６  排紙部
６０  制御部
６１  メモリ部
６２  切換部
７０  カラー画像形成装置
７１  プロセスカートリッジ
７２  ＣＰＵ
７３  プロセスカートリッジ制御部
【図１】
2007067919.tif 000003
【図２】
2007067919.tif 000004
【図３】
2007067919.tif 000005
【図４】
2007067919.tif 000006
【図５】
2007067919.tif 000007
【図６】
2007067919.tif 000008
【図７】
2007067919.tif 000009
【図８】
2007067919.tif 000010
【図９】
2007067919.tif 000011
【図１０】
2007067919.tif 000012